(57)【特許請求の範囲】
【請求項１】
各階に設置され、火災発生を検出する第１の検出手段と、
前記各階の乗り場に設置され、避難者を検出する第２の検出手段と、
少なくとも第１のかごと、
前記第１のかごに設けられ、積載荷重を検出する荷重検出手段と、
前記第１、第２の検出手段の検出信号に基づき、火災発生階と異なる救出階、避難階、及び救出階と前記避難階の間に位置する少なくとも１つの中間避難階を設定し、前記荷重検出手段の検出信号及び前記第２の検出手段の検出信号に基づき、前記少なくとも第１のかごを用いて、避難者を前記救出階から前記中間避難階に避難させる第１のオペレーションと、前記中間避難階の避難者を前記避難階に避難させる第２のオペレーションを行い、前記荷重検出手段の検出信号及び前記第２の検出手段の検出信号に基づき算出された避難者数とエレベータの定員数を比較し、避難者を１回の運転により、前記避難階に避難させることが可能な場合、前記中間避難階に停止させることなく、前記避難階へ直通運転させる制御手段と、
を具備することを特徴とするエレベータの避難運転システム。
【請求項２】
第２のかごをさらに含み、
前記制御手段は、前記第１のオペレーションにより、前記第１のかごを用いて避難者を前記救出階から前記中間避難階に避難させ、前記第２のオペレーションにより、前記第２のかごを用いて前記中間避難階の避難者を避難階に避難させることを特徴とする請求項１記載のエレベータの避難運転システム。
【請求項３】
第２のかごをさらに含み、
前記制御手段は、前記第１のオペレーションにより、前記第１、第２のかごを用いて避難者を前記救出階から前記中間避難階に避難させ、前記第２のオペレーションにより、前記第１、第２のかごを用いて前記中間避難階の避難者を避難階に避難させることを特徴とする請求項１記載のエレベータの避難運転システム。
【請求項４】
第２のかごをさらに含み、
前記制御手段は、前記第１のオペレーションにより、前記第１、第２のかごを用いて避難者を前記救出階から前記中間避難階に避難させ、前記第２のオペレーションにより、前記第１又は第２のかごを用いて前記中間避難階の避難者を避難階に避難させることを特徴とする請求項１記載のエレベータの避難運転システム。
【請求項５】
前記制御手段に接続された報知手段をさらに具備し、
前記制御手段は、前記第１の検出手段から検出信号が供給された場合、火災発生階と異なる救出階、避難階、及び前記救出階と前記避難階の間に位置する第１、第２の中間避難階を設定し、前記第１のオペレーションにより、前記第１のかごを用いて避難者を前記救出階から前記第１の中間避難階に避難させ、前記報知手段により、前記第１の中間避難階の避難者を前記第２の中間避難階に誘導し、前記第２のオペレーションにより、前記第１のかごを用いて前記第２の中間避難階の避難者を避難階に避難させることを特徴とする請求項１記載のエレベータの避難運転システム。
【請求項６】
第２のかごをさらに含み、
前記制御手段は、前記第１の検出手段から検出信号が供給された場合、火災発生階と異なる救出階、避難階、及び前記救出階と前記避難階の間に位置する第１、第２の中間避難階を設定し、前記第１のオペレーションにより、前記第１のかごを用いて避難者を前記救出階から前記第１の中間避難階に避難させ、前記報知手段により、前記第１の中間避難階の避難者を前記第２の中間避難階に誘導し、前記第２のオペレーションにおいて、前記第２のかごを用いて前記第２の中間避難階の避難者を避難階に避難させることを特徴とする請求項５記載のエレベータの避難運転システム。
【請求項７】
前記制御手段は、前記第１のオペレーションにより、前記第１、第２のかごを用いて避難者を前記救出階から前記第１の中間避難階に避難させ、前記報知手段により、前記第１の中間避難階の避難者を前記第２の中間避難階に誘導し、前記第２のオペレーションにより、前記第１、第２のかごを用いて前記第２の中間避難階の避難者を避難階に避難させることを特徴とする請求項６記載のエレベータの避難運転システム。
【請求項８】
前記制御手段は、前記第１のオペレーションにより、前記第１、第２のかごを用いて避難者を前記救出階から前記第１の中間避難階に避難させ、前記報知手段により、前記第１の中間避難階の避難者を前記第２の中間避難階に誘導し、前記第２のオペレーションにおいて、前記第１又は第２のかごを用いて前記第２の中間避難階の避難者を避難階に避難させることを特徴とする請求項６記載のエレベータの避難運転システム。
【請求項９】
第２のかごをさらに含み、
前記制御手段は、前記第１の検出手段から検出信号が供給された場合、火災発生階と異なる第１の救出階、避難階、及び前記第１の救出階と前記避難階の間に位置する中間避難階を設定し、前記第１のオペレーションにおいて、前記第１のかごを用いて避難者を前記第１の救出階から前記中間避難階に避難させ、前記報知手段により、前記第１のオペレーションにより前記１の救出階から避難できなかった避難者を前記第１の救出階と前記中間避難階の間の第２の救出階に誘導し、第３のオペレーションにより、前記第２のかごを用いて前記第２の救出階の避難者を前記中間避難階に避難させ、前記第２のオペレーションにおいて、前記第２のかごを用いて前記中間避難階の避難者を避難階に避難させることを特徴とする請求項１記載のエレベータの避難運転システム。
【請求項１０】
前記避難階は、火災発生階が上層階である場合、地上階であることを特徴とする請求項１乃至９のいずれかに記載のエレベータの避難運転システム。
【請求項１１】
前記避難階は、火災発生階が下層階である場合、最上階であることを特徴とする請求項１乃至９のいずれかに記載のエレベータの避難運転システム。
【発明の詳細な説明】
【技術分野】
【０００１】
本発明の実施形態は、火災発生時におけるエレベータの避難運転システムに関する。
【背景技術】
【０００２】
一般に、建物内で火災が発生した場合、二次災害を防止するため、火災管制運転制御を具備したエレベータは、監視盤などにおける制御の切り替えを行うか、火災検出手段により制御装置に信号が送られることにより、最寄り階か、予め設定された避難階にかごが直行して着床され、戸開放される。この後、火災状態から通常状態に復帰されるまでかごの運転が休止される。このため、火災発生時、エレベータは、避難に使用されていなかった。
【０００３】
したがって、火災発生時、避難者は、非常時用階段などの限られた避難手段により安全な避難場所へ移動していたため、避難に多大な時間を要していた。このため、避難が完了するまでに建物の被害が拡大し、被災者の増加が避けられなかった。また、近年の建物の高層化に伴い、高齢者、身障者は、避難においてエレベータを利用することの必要性が認識されている。
【０００４】
このように、従来、火災発生時に、多くの避難者を短時間に効率よく避難させることが困難であった。したがって、火災発生時にエレベータにより多くの避難者を短時間に効率良く避難させることが望まれている。
【先行技術文献】
【特許文献】
【０００５】
【特許文献１】特開平１０−１８２０２９号公報
【特許文献２】特開２００６−１９３２９６号公報
【特許文献３】特開２００７−５０２５２９号公報
【発明の概要】
【発明が解決しようとする課題】
【０００６】
火災発生時に、建物内に取り残された避難者を効率的、且つ速やかに救出可能なエレベータの避難運転システムを提供しようとするものである。
【課題を解決するための手段】
【０００７】
実施形態に係るエレベータの避難運転システムは、各階に設置され、火災発生を検出する第１の検出手段と、前記各階の乗り場に設置され、避難者を検出する第２の検出手段と、少なくとも第１のかごと、前記かごに設けられ、積載荷重を検出する荷重検出手段と、制御手段を有している。この制御手段は、前記第１、第２の検出手段の検出信号に基づき、火災発生階と異なる救出階、避難階、及び救出階と前記避難階の間に位置する少なくとも１つの中間避難階を設定し、前記荷重検出手段の検出信号及び前記第２の検出手段の検出信号に基づき、前記少なくとも第１のかごを用いて、避難者を前記救出階から前記中間避難階に避難させる第１のオペレーションと、前記中間避難階の避難者を前記避難階に避難させる第２のオペレーションを行い、前記荷重検出手段の検出信号及び前記第２の検出手段の検出信号に基づき算出された避難者数とエレベータの定員数を比較し、避難者を１回の運転により、前記避難階に避難させることが可能な場合、前記中間避難階に停止させることなく、前記避難階へ直通運転させる。
【図面の簡単な説明】
【０００８】
【図１】実施形態に係るエレベータの全体構成を概略的に示す構成図。
【図２】実施形態に係るエレベータの制御系の概略を示す構成図。
【図３】第１の実施形態の動作を示す概略図。
【図４】第１の実施形態の動作を示すフローチャート。
【図５】第２の実施形態の動作を示す概略図。
【図６】第２の実施形態の動作を示すフローチャート。
【図７】第３の実施形態の動作を示す概略図。
【図８】第３の実施形態の動作を示すフローチャート。
【図９】第４の実施形態の動作を示す概略図。
【図１０】第４の実施形態の動作を示すフローチャート。
【図１１】第５の実施形態の動作を示す概略図。
【図１２】第５の実施形態の動作を示すフローチャート。
【図１３】第６の実施形態の動作を示す概略図。
【図１４】第６の実施形態の動作を示すフローチャート。
【図１５】第７の実施形態の動作を示す概略図。
【図１６】第７の実施形態の動作を示すフローチャート。
【図１７】第８の実施形態の動作を示す概略図。
【図１８】第８の実施形態の動作を示すフローチャート。
【図１９】第９の実施形態の動作を示す概略図。
【図２０】第９の実施形態の動作を示すフローチャート。
【図２１】第１０の実施形態の動作を示す概略図。
【図２２】第１０の実施形態の動作を示す概略図。
【発明を実施するための形態】
【０００９】
以下、実施の形態について、図面を参照して説明する。
【００１０】
図１は、本実施形態に適用されるエレベータシステムの構成を概略的に示すものである。図１において、建物内の上部に制御装置１が設けられ、この制御装置１にエレベータ動力装置２が接続されている。建物内の昇降路ＳＦＴ内には、かご３が配置されている。このかご３は、エレベータ動力装置２に連結され、昇降路ＳＦＴ内を昇降可能とされている。かご３には、かご扉４が設けられている。図１は、１つの昇降路及び１つのかごのみを示しているが、これに限定されるものではなく、２以上の昇降路及び２以上のかごを有し、複数のかごが制御装置１により群管理される構成であってもよい。
【００１１】
建物の各階の乗り場（フロアーとも言う）には、乗り場扉５が設けられている。この乗り場扉５は、制御装置１によりエレベータ動力装置２が駆動され、かご３が各階の乗り場に停止された際、かご扉４とともに開閉される。各乗り場には、図示せぬ乗り場呼び登録釦が設けられ、かご３内には、図示せぬ行き先登録釦が設けられている。さらに、例えばかご３の底部には、積載荷重を検出する荷重検出器１２が設けられている。この荷重検出器１２の検出信号は、制御装置１に供給される。
【００１２】
また、各乗り場には、例えば炎や煙を検出する火災検出器６が設けられている。この火災検出器６の設置場所は、各乗り場に限定されるものではなく、例えば昇降路内の各乗り場に対応する箇所に配置してもよい。各火災検出器６の検出信号は、制御装置１に供給される。
【００１３】
さらに、各乗り場には、滞在者検出器７、案内表示装置８、及び音声案内装置９が設けられ、各フロアー間には、非常階段１０が設けられている。滞在者検出器７は、例えば人感センサーやカメラにより構成され、各乗り場内の滞在者（避難者）の有無や人数を検出する。案内表示装置８、音声案内装置９は、例えば火災発生時、制御装置１が火災管制運転に切り替わった場合において、制御装置１から供給される信号に基づき、エレベータによる救出階を避難者に対して報知する。
【００１４】
図２は、本実施形態に係るエレベータの制御系の構成を概略的に示すものである。図２において、図１と同一部分には同一符合を付し異なる部分についてのみ説明する。
【００１５】
図２は、例えば２台のエレベータ装置（以下、第１、第２のエレベータ装置ともいう）ＥＬ１、ＥＬ２を制御装置１により運転管理する場合を示している。第１、第２のエレベータ装置ＥＬ１、ＥＬ２は、それぞれ巻上機２−１、及び巻上機２−２に連結されたシーブ２−３、２−４を有している。このシーブ２−３、２−４には、ワイヤーロープ２−５、２−６が巻回され、このワイヤーロープ２−５、２−６に、かご３−１、３−２がそれぞれ連結されている。かご３−１、３−２の例えば底部には、荷重検出器１２−１、１２−２が設けられている。また、制御装置１は、群管理制御装置１−１を有しており、第１、第２のエレベータ装置ＥＬ１、ＥＬ２を構成する両巻上機２−１、２−２は、群管理制御装置１−１により制御される。
【００１６】
以下の実施形態において、エレベータシステムは、２台のエレベータ装置による場合と、１台のエレベータ装置による場合がある。１台のエレベータ装置により構成される場合は、図２に示す第１、第２のエレベータ装置ＥＬ１、ＥＬ２の一方のみにより構成される。
【００１７】
（第１の実施形態）
図３は、第１の実施形態を示すものであり、例えば１台のエレベータ装置による火災管制運転動作を概略的に示している。図４は、制御装置１の動作を示している。
【００１８】
第１の実施形態において、エレベータ装置は、例えば防火区画の設定や防火設備より火災の影響を受けないか、遮煙、耐火、耐熱性能などを有し、火災に対してロバスト性があり運転の継続が可能なエレベータである。また、火災発生場所は、例えば最上階であり、最下階が避難階である場合を仮定している。
【００１９】
制御装置１は、火災検出器６の検出信号を受けると（Ｓ１１）、滞在者検出器７により検出された各階における避難者の人数の情報と、火災検出器６により検出された火災発生階の情報に基づき、火災発生階よりも下階において避難者が存在する階に救出階ＲＳＦを設定するとともに、避難階ＲＦＦ、及び救出階と避難階との間の中間避難階ＩＲＦＦを設定する（Ｓ１２）。例えば図３に示すように、火災発生階が最上階である場合、救出階ＲＳＦは、例えば最上階の下の階に設定され、避難階ＲＦＦは、地上階、例えば１階に設定される。
【００２０】
救出階ＲＳＦ、避難階ＲＦＦ、中間避難階ＩＲＦＦの設定と同時に、制御装置１は、案内表示装置８や音声案内装置９により、建物内の避難者１１に救出階ＲＳＦの位置を報知する。
【００２１】
この後、制御装置１は、第１のオペレーションｏｐ１により、かご３−１を救出階ＲＳＦと中間避難階ＩＲＦＦの間を往復運転させ、救出階ＲＳＦから中間避難階ＩＲＦＦへ避難者１１を移動させる（Ｓ１３）。すなわち、第１のオペレーションｏｐ１において、制御装置１は、かご３−１を避難者１１が滞在する救出階ＲＳＦへ直行させ、避難者１１を乗車させる。この後、かご３−１を中間避難階ＩＲＦＦへ運転し、かご３−１が中間避難階ＩＲＦＦに着床、停止した際、例えば図示せぬかご内表示装置やかご内音声案内装置によって、避難者１１をかご３−１から降車させる案内を行い、避難者１１を中間避難階ＩＲＦＦで一時的に待機させる。
【００２２】
第１のオペレーションｏｐ１は、例えば、滞在者検出器７の検出信号や、荷重検出器１２（１２−１）の積載量の積算値に基づき、救出階ＲＳＦの避難者１１の避難が完了するまで繰り返される（Ｓ１４）。
【００２３】
救出階ＲＳＦから中間避難階ＩＲＦＦへの避難が完了した場合、制御装置１は、第２のオペレーションｏｐ２により、中間避難階ＩＲＦＦと避難階ＲＦＦの間を往復運転させ、中間避難階ＩＲＦＦから避難階ＲＦＦへ避難者１１を移動させる（Ｓ１５）。すなわち、制御装置１は、乗り場に設置された案内表示装置８や音声案内装置９により、中間避難階ＩＲＦＦで待機する避難者１１にオペレーションの変更を報知し、中間避難階ＩＲＦＦで待機する避難者１１をかご３−１に乗車させ、かご３−１を中間避難階ＩＲＦＦと避難階ＲＦＦとの間で必要に応じて往復運転させる。
【００２４】
第２のオペレーションｏｐ２は、例えば滞在者検出器７の検出信号や、荷重検出器１２の積載量の積算値に基づき、中間避難階ＩＲＦＦで待機する避難者１１がいなくなるまで繰り返される（Ｓ１６）。中間避難階ＩＲＦＦから避難階ＲＦＦへの避難が完了した場合、第２のオペレーションｏｐ２が終了される（Ｓ１７）。
【００２５】
尚、制御装置１は、第１のオペレーションｏｐ１において、滞在者検出器７の検出信号、及び荷重検出器１２の検出信号に基づき、算出された避難者数とエレベータの定員数を比較し、避難者１１を１回の運転により、避難階ＲＦＦに避難させることが可能な場合、かご３−１を中間避難階ＩＲＦＦに停止させることなく、避難階ＲＦＦへ直通運転させる。この動作は、第１の実施形態に限らず、第２の実施形態以降にも適用可能である。
【００２６】
上記第１の実施形態によれば、火災発生時、救出階ＲＳＦから最終避難階ＲＦＦにエレベータを直通運転するのではなく、中層階に中間避難階ＩＲＦＦを設定し、第１のオペレーションｏｐ１により、上層の救出階ＲＳＦから中間避難階ＩＲＦＦへ必要に応じて複数回の往復運転を行うことによって、救出階ＲＳＦの避難者１１を中間避難階ＩＲＦＦへ運び、避難者を中間避難階で一時的に待機させている。このため、火災発生階に近い危険区域としての救出階に避難者が留まる時間を削減し、危険度の低い中間避難階へ避難者を避難させることが可能である。
【００２７】
しかも、かご３−１を救出階ＲＳＦと中間避難階ＩＲＦＦとの間において、往復運転させているため、かご３−１を救出階と避難階との間において、往復運転させる場合に比べて、かごの移動距離を短縮でき、１往復当たりの移動時間を短縮することができる。このため、救出階に居る避難者を迅速に中間避難階へ避難させることが可能であるとともに、かごの到着を待つ避難者の心理的負担を低減し、混乱を回避することが可能である。
【００２８】
さらに、救出階ＲＳＦに居る全ての避難者１１が中間避難階ＩＲＦＦへ避難を完了した後、第２のオペレーションｏｐ２により、かご３−１を中間避難階ＩＲＦＦから最終避難階ＲＦＦへ必要に応じて往復運転させることによって、避難者を中間避難階から最終避難階へ避難させている。したがって、救出階から最終避難階へエレベータを直通運転する場合に比べて１往復あたりの運転距離、運転時間を短縮でき、中間避難階での避難者の待ち時間を短縮させることができる。
【００２９】
（第２の実施形態）
図５、図６は、第２の実施形態を示すものであり、第１の実施形態と同一部分には同一符号を付している。
【００３０】
第１の実施形態は、１台のエレベータ装置により、上記第１、第２のオペレーションｏｐ１、ｏｐ２を行った。これに対して、第２の実施形態は、２台のエレベータ装置により上記第１、第２のオペレーションｏｐ１、ｏｐ２を行う。
【００３１】
図５、図６において、制御装置１は、火災検出器６の検出信号を受けると（Ｓ２１）、滞在者検出器７により検出された各階における避難者の人数の情報と、火災検出器６により検出された火災発生階の情報に基づき、火災発生階よりも下階において避難者が存在する階に救出階ＲＳＦを設定するとともに、避難階ＲＦＦ、及び救出階と避難階との間の中間避難階ＩＲＦＦを設定する（Ｓ２２）。これと同時に、制御装置１は、案内表示装置８や音声案内装置９により、建物内の避難者１１に救出階ＲＳＦの位置を報知する。
【００３２】
この後、制御装置１は、第１のオペレーションｏｐ１により、第１のエレベータ装置ＥＬ１のかご３−１を救出階ＲＳＦと中間避難階ＩＲＦＦの間を往復運転させ、救出階ＲＳＦから中間避難階ＩＲＦＦへ避難者１１を移動させる。これとほぼ同時に、制御装置１は、第２のオペレーションｏｐ２により、第２のエレベータ装置ＥＬ２のかご３−２を中間避難階ＩＲＦＦと避難階ＲＦＦの間を往復運転させる（Ｓ２３）。
【００３３】
すなわち、制御装置１は、第１のオペレーションｏｐ１により、第１のエレベータ装置ＥＬ１のかご３−１を避難者１１が滞在する救出階ＲＳＦへ直行させ、避難者１１を乗車させる。この後、制御装置１は、かご３−１を中間避難階ＩＲＦＦへ運転し、かご３−１が中間避難階ＩＲＦＦに着床、停止した際、例えば図示せぬかご内表示装置やかご内音声案内装置によって、避難者１１をかご３−１から降車させる案内を行い、さらに、第２のエレベータ装置ＥＬ２が中間避難階ＩＲＦＦから避難階ＲＦＦへ運転されることを報知する。
【００３４】
第１のエレベータ装置ＥＬ１を用いた第１のオペレーションｏｐ１は、例えば、滞在者検出器７の検出信号や、荷重検出器１２−１の積載量の積算値に基づき、救出階ＲＳＦの避難者１１の避難が完了するまで繰り返される（Ｓ２４）。
【００３５】
救出階ＲＳＦの避難者１１の避難が完了した場合、制御装置１は、第１のエレベータ装置ＥＬ１を用いた第１のオペレーションｏｐ１を終了する（Ｓ２５）。この間、第２のエレベータ装置ＥＬ２を用いた第２のオペレーションｏｐ２が続行されている。
【００３６】
第２のオペレーションｏｐ２は、例えば滞在者検出器７の検出信号や、荷重検出器１２−２の積載量の積算値に基づき、中間避難階ＩＲＦＦで待機する避難者１１がいなくなるまで繰り返される（Ｓ２６）。中間避難階ＩＲＦＦから避難階ＲＦＦへの避難が完了した場合、第２のオペレーションｏｐ２が終了される（Ｓ２７）。
【００３７】
第２の実施形態によれば、火災発生時、火災発生階とは異なる救出階ＲＳＦ、及び救出階ＲＳＦと避難階ＲＦＦとの間の中間避難階ＩＲＦＦを設定し、第１、第２のエレベータ装置ＥＬ１、ＥＬ２を用いて、第１、第２のオペレーションｏｐ１、ｏｐ２をほぼ同時に実行し、救出階ＲＳＦから中間避難階ＩＲＦＦへの避難者１１の移送と、中間避難階ＩＲＦＦから避難階ＲＦＦへの避難者の移送を並行して行っている。このため、救出階ＲＳＦから中間避難階ＩＲＦＦへ移送された避難者を、中間避難階ＩＲＦＦから避難階ＲＦＦへ迅速に避難させることが可能である。したがって、救出階ＲＳＦから避難階ＲＦＦへ、多くの避難者を短時間に避難させることができる。
【００３８】
（第３の実施形態）
図７、図８は、第３の実施形態を示すものであり、第２の実施形態と同一部分には、同一符合を付している。
【００３９】
上記第２の実施形態は、第１のオペレーションｏｐ１を第１のエレベータ装置ＥＬ１により実行し、第２のオペレーションｏｐ２を第２のエレベータ装置ＥＬ２により実行していた。
【００４０】
これに対して、第３の実施形態は、第１のオペレーションｏｐ１を第１、第２のエレベータ装置ＥＬ１、ＥＬ２により実行し、第２のオペレーションｏｐ２も第１、第２のエレベータ装置ＥＬ１、ＥＬ２により実行する。
【００４１】
図７、図８において、制御装置１は、火災検出器６の検出信号を受けると（Ｓ３１）、滞在者検出器７により検出された各階における避難者の人数の情報と、火災検出器６により検出された火災発生階の情報に基づき、火災発生階よりも下階において避難者が存在する階に救出階ＲＳＦを設定するとともに、避難階ＲＦＦ、及び救出階と避難階との間の中間避難階ＩＲＦＦを設定する（Ｓ３２）。これと同時に、制御装置１は、案内表示装置８や音声案内装置９により、建物内の避難者１１に救出階ＲＳＦの位置を報知する。
【００４２】
この後、制御装置１は、第１のオペレーションｏｐ１により、第１、第２のエレベータ装置ＥＬ１、ＥＬ２のかご３−１、３−２を救出階ＲＳＦと中間避難階ＩＲＦＦの間を往復運転させ、救出階ＲＳＦから中間避難階ＩＲＦＦへ避難者１１を移動させる（Ｓ３３）。
【００４３】
すなわち、制御装置１は、第１のオペレーションｏｐ１により、第１、第２のエレベータ装置ＥＬ１、ＥＬ２のかご３−１、３−２を避難者１１が滞在する救出階ＲＳＦへ直行させ、避難者１１を乗車させる。この後、制御装置１は、かご３−１、３−２を中間避難階ＩＲＦＦへ運転し、かご３−１、３−２が中間避難階ＩＲＦＦに着床、停止した際、例えば図示せぬかご内表示装置やかご内音声案内装置によって、避難者１１をかご３−１から降車させる案内を行い、中間避難階ＩＲＦＦにおいて、避難者１１に一時待機してもらうことを報知する。
【００４４】
第１、第２のエレベータ装置ＥＬ１、ＥＬ２を用いた第１のオペレーションｏｐ１は、例えば、滞在者検出器７の検出信号や、荷重検出器１２−１、１２−２の積載量の積算値に基づき、救出階ＲＳＦの避難者１１の避難が完了するまで繰り返される（Ｓ３４）。
【００４５】
救出階ＲＳＦの避難者１１の避難が完了した場合、制御装置１は、第１、第２のエレベータ装置ＥＬ１、ＥＬ２を用いた第１のオペレーションｏｐ１を終了する。この後、制御装置１は、案内表示装置８や音声案内装置９により、中間避難階ＩＲＦＦで待機している避難者１１に、オペレーションの変更を報知し、第１、第２のエレベータ装置ＥＬ１、ＥＬ２を用いた第２のオペレーションｏｐ２を開始する（Ｓ３５）。すなわち、制御装置１は、第１、第２のエレベータ装置ＥＬ１、ＥＬ２を中間避難階ＩＲＦＦと避難階ＲＦＦとの間で往復運転させ、中間避難階ＩＲＦＦで待機する避難者１１を避難階ＲＦＦに移送する。
【００４６】
第２のオペレーションｏｐ２は、例えば滞在者検出器７の検出信号や、荷重検出器１２−１，１２−２の積載量の積算値に基づき、中間避難階ＩＲＦＦで待機する避難者１１がいなくなるまで繰り返される（Ｓ３６）。中間避難階ＩＲＦＦから避難階ＲＦＦへの避難が完了した場合、第２のオペレーションｏｐ２が終了される（Ｓ３７）。
【００４７】
上記第３の実施形態によれば、第１、第２のエレベータ装置ＥＬ１、ＥＬ２を用いて第１のオペレーションｏｐ１を実行し、救出階ＲＳＦの避難者１１を中間避難階ＩＲＦＦに避難させている。このため、火災発生階に近く危険性の高い救出階ＲＳＦから中間避難階ＩＲＦＦへ避難者１１を迅速に避難させることができる。さらに、第１、第２のエレベータ装置ＥＬ１、ＥＬ２を用いて第２のオペレーションｏｐ１を実行することにより、中間避難階ＩＲＦＦの避難者１１を避難階ＲＦＦに避難させている。このため、中間避難階ＩＲＦＦから避難階ＲＦＦへ避難者１１を迅速に避難させることができる。したがって、救出階ＲＳＦから避難階ＲＦＦへ多数の避難者１１を迅速に避難させることができる。
【００４８】
しかも、救出階ＲＳＦ及び中間避難階ＩＲＦＦにおいて避難者が待機する時間を短縮することができるため、避難者の心理負担を軽減でき、混乱を回避することが可能である。
【００４９】
（第４の実施形態）
図９、図１０は第４の実施形態を示すものであり、第３の実施形態と同一部分には同一符号を付している。
【００５０】
第３の実施形態は、第１、第２のエレベータ装置ＥＬ１、ＥＬ２により、第１のオペレーションｏｐ１を実行した後、第１、第２のエレベータ装置ＥＬ１、ＥＬ２により、第２のオペレーションｏｐ２を実行した。
【００５１】
これに対して、第４の実施形態は、第１、第２のエレベータ装置ＥＬ１、ＥＬ２により、第１のオペレーションｏｐ１を実行し、中間避難階ＩＲＦＦで待機する避難者の人数が救出階ＲＳＦの避難者数よりも多くなった場合、第１のエレベータ装置ＥＬ１、又は第２のエレベータ装置ＥＬ２により、第２のオペレーションｏｐ２を実行する。
【００５２】
図９、図１０において、制御装置１は、火災検出器６の検出信号を受けると（Ｓ４１）、滞在者検出器７により検出された各階における避難者の人数の情報と、火災検出器６により検出された火災発生階の情報に基づき、火災発生階よりも下階において避難者が存在する階に救出階ＲＳＦを設定するとともに、避難階ＲＦＦ、及び救出階と避難階との間の中間避難階ＩＲＦＦを設定する（Ｓ４２）。これと同時に、制御装置１は、案内表示装置８や音声案内装置９により、建物内の避難者１１に救出階ＲＳＦの位置を報知する。
【００５３】
この後、制御装置１は、第１のオペレーションｏｐ１により、第１、第２のエレベータ装置ＥＬ１、ＥＬ２のかご３−１、３−２を救出階ＲＳＦと中間避難階ＩＲＦＦの間を往復運転させ、救出階ＲＳＦから中間避難階ＩＲＦＦへ避難者１１を移動させる（Ｓ４３）。
【００５４】
すなわち、制御装置１は、第１のオペレーションｏｐ１により、第１、第２のエレベータ装置ＥＬ１、ＥＬ２のかご３−１、３−２を避難者１１が滞在する救出階ＲＳＦへ直行させ、避難者１１を乗車させる。この後、制御装置１は、かご３−１、３−２を中間避難階ＩＲＦＦへ運転し、かご３−１、３−２が中間避難階ＩＲＦＦに着床、停止した際、例えば図示せぬかご内表示装置やかご内音声案内装置によって、避難者１１をかご３−１から降車させる案内を行い、中間避難階ＩＲＦＦにおいて、避難者１１に一時待機してもらうことを報知する。
【００５５】
第１、第２のエレベータ装置ＥＬ１、ＥＬ２を用いた第１のオペレーションｏｐ１は、中間避難階ＩＲＦＦで待機する避難者１１の人数が、救出階ＲＳＦに残った避難者１１の人数より多くなった場合、終了される。すなわち、制御装置１は、例えば救出階ＲＳＦ及び中間避難階ＩＲＦＦの滞在者検出器７の検出信号や、荷重検出器１２−１，１２−２の積載量の積算値に基づき、救出階ＲＳＦに残った避難者１１の人数ｎ１、及び中間避難階ＩＲＦＦで待機する避難者１１の人数ｎ２を算出する（Ｓ４４）。
【００５６】
制御装置１は、この算出された中間避難階ＩＲＦＦで待機する避難者１１の人数ｎ２と、救出階ＲＳＦに残った避難者１１の人数ｎ１を比較し（Ｓ４５）、中間避難階ＩＲＦＦの人数ｎ２が救出階ＲＳＦの人数ｎ１より多くなった場合、第１のオペレーションｏｐ１を継続したまま、第２のオペレーションｏｐ２を実行する（Ｓ４６）。
【００５７】
すなわち、制御装置１は、案内表示装置８や音声案内装置９により、第１、第２のエレベータ装置ＥＬ１、ＥＬ２の一方、例えば第２のエレベータ装置ＥＬ２が、中間避難階ＩＲＦＦから避難階ＲＦＦへの運行を開始することを、例えば中間避難階ＩＲＦＦの避難者１１に報知する。この後、制御装置１は、第２のエレベータ装置ＥＬ２のかご３−２に中間避難階ＩＲＦＦの避難者１１を乗車させ、避難階ＲＦＦへ運行させる。
【００５８】
次いで、制御装置１は、滞在者検出器７の検出信号や、荷重検出器１２−１，１２−２の積載量の積算値に基づき、救出階ＲＳＦに避難者１１がいなくなったと判断した場合（Ｓ４７）、第１のエレベータ装置ＥＬ１による第１のオペレーションｏｐ１を終了する（Ｓ４８）。
【００５９】
さらに、制御装置１は、滞在者検出器７の検出信号や、荷重検出器１２−２の積載量の積算値に基づき、中間避難階ＩＲＦＦの避難者１１がいなくなったと判断した場合（Ｓ４９）、第２のエレベータ装置ＥＬ２による第２のオペレーションｏｐ２を終了する（Ｓ５０）。
【００６０】
上記第４の実施形態によれば、火災発生時、先ず、第１、第２のエレベータ装置ＥＬ１、ＥＬ２を後いて第１のオペレーションｏｐ１を実行して、救出階ＲＳＦから中間避難階ＩＲＦＦに避難者１１を移送し、中間避難階ＩＲＦＦの避難者１１の人数が、救出階ＲＳＦの避難者１１の人数より多くなった場合、第１のオペレーションｏｐ１を続行したまま、第２のオペレーションｏｐ２を実行し、中間避難階ＩＲＦＦの避難者１１を避難ＲＦＦに避難させている。このため、中間避難階ＩＲＦＦでの待機時間を短縮でき、多数の避難者を迅速に、避難階ＲＦＦに避難させることができる。したがって、避難者の心理負担を軽減でき、混乱を防止できる。
【００６１】
また、第１、第２のオペレーションｏｐ１、ｏｐ２を実行するとき、例えば高齢者や障害者を優先的に且つ短時間に避難させることが可能である。
【００６２】
（第５の実施形態）
図１１、図１２は、第５の実施形態を示すものであり、例えば第１の実施形態と同一部分には同一符号を付している。
【００６３】
第１乃至第４の実施形態は、火災発生時、火災発生階と異なる救出階ＲＳＦと避難階ＲＦＦを設定し、これらの間に１つの中間避難階ＩＲＦＦを設定し、先ず、救出階ＲＳＦの避難者を中間避難階ＩＲＦＦに避難させ、この後、中間避難階ＩＲＦＦの避難者を避難階ＲＦＦに避難させた。しかし、中間避難階ＩＲＦＦは、避難者を待機させるために十分なスペースを確保できない場合がある。
【００６４】
そこで、第５の実施形態は、救出階ＲＳＦと避難階ＲＦＦの間に、例えば２つの中間避難階ＩＲＦＦ１、ＩＲＦＦ２を設定し、先ず、救出階ＲＳＦの避難者１１を中間避難階ＩＲＦＦ１に避難させ、この後、中間避難階ＩＲＦＦ１の避難者を、例えば非常階段１０により、中間避難階ＩＲＦＦ１より下階の中間避難階ＩＲＦＦ２に避難させ、中間避難階ＩＲＦＦ２の避難者１１を避難階ＲＦＦに避難させる。
【００６５】
図１１、図１２において、制御装置１は、火災検出器６の検出信号を受けると（Ｓ５１）、滞在者検出器７により検出された各階における避難者の人数の情報と、火災検出器６により検出された火災発生階の情報に基づき、火災発生階よりも下階において避難者が存在する階に救出階ＲＳＦを設定するとともに、避難階ＲＦＦ、及び救出階ＲＳＦと避難階ＲＦＦとの間に第１、第２の中間避難階ＩＲＦＦ１、ＩＲＦＦ２を設定する（Ｓ５２）。すなわち、制御装置１は、救出階ＲＳＦの避難者１１の人数が多く、これら避難者１１を１つの中間避難階に避難されることが困難であると判断した場合、複数の中間避難階を設定する。
【００６６】
上記避難階ＲＦＦ、救出階ＲＳＦ、及び第１、第２の中間避難階ＩＲＦＦ１、ＩＲＦＦ２の設定と同時に、制御装置１は、案内表示装置８や音声案内装置９により、建物内の避難者１１に救出階ＲＳＦの位置を報知する。
【００６７】
この後、制御装置１は、第１のオペレーションｏｐ１により、エレベータ装置ＥＬ１、のかご３を救出階ＲＳＦと第１の中間避難階ＩＲＦＦ１の間を往復運転させ、救出階ＲＳＦから第１の中間避難階ＩＲＦＦ１へ避難者１１を移動させる（Ｓ５３）。
【００６８】
すなわち、第１のオペレーションｏｐ１において、制御装置１は、かご３を避難者１１が滞在する救出階ＲＳＦへ直行させ、避難者１１を乗車させる。この後、かご３を第１の中間避難階ＩＲＦＦ１へ運転し、かご３が第１の中間避難階ＩＲＦＦ１に着床、停止した際、例えば図示せぬかご内表示装置やかご内音声案内装置によって、避難者１１をかご３から降車させる案内を行う。さらに、制御装置１は、案内表示装置８、音声案内装置９により、避難者１１に第１の中間避難階ＩＲＦＦ１から非常階段１０を使って第２の中間避難階ＩＲＦＦ２に移動し、そこで待機することを報知する。すなわち、第１の中間避難階ＩＲＦＦ１から第２の中間避難階ＩＲＦＦ２へ移動して、エレベータ装置を乗り継ぐことを報知する（Ｓ５４）。
【００６９】
第１のオペレーションｏｐ１は、例えば、滞在者検出器７の検出信号や、荷重検出器１２−１の積載量の積算値に基づき、救出階ＲＳＦの避難者１１の避難が完了するまで繰り返される（Ｓ５５）。
【００７０】
救出階ＲＳＦから第１の中間避難階ＩＲＦＦ１への避難が完了した場合、制御装置１は、第２のオペレーションｏｐ２により、第２の中間避難階ＩＲＦＦ２と避難階ＲＦＦとの間を往復運転させ、第２の中間避難階ＩＲＦＦ２から避難階ＲＦＦへ避難者１１を移動させる（Ｓ５６）。すなわち、制御装置１は、乗り場に設置された案内表示装置８や音声案内装置９により、第１乃至第２の中間避難階ＩＲＦＦ１、ＩＲＦＦ２で待機する避難者１１にオペレーションの変更を報知し、第２の中間避難階ＩＲＦＦ２で待機する避難者１１をかご３に乗車させ、かご３を第２の中間避難階ＩＲＦＦ２と避難階ＲＦＦとの間で必要に応じて往復運転させる。
【００７１】
第２のオペレーションｏｐ２は、例えば滞在者検出器７の検出信号や、荷重検出器１２−２の積載量の積算値に基づき、第１、第２の中間避難階ＩＲＦＦ１、ＩＲＦＦ２で待機する避難者１１がいなくなるまで繰り返される（Ｓ５７）。第１、第２の中間避難階ＩＲＦＦ１、ＩＲＦＦ２から避難階ＲＦＦへの避難が完了した場合、第２のオペレーションｏｐ２が終了される（Ｓ５８）。
【００７２】
第５の実施形態によれば、救出階ＲＳＦと避難階ＲＦＦの間に、例えば２つの中間避難階、第１、第２の中間避難階ＩＲＦＦ１、ＩＲＦＦ２を設定し、先ず、第１のオペレーションｏｐ１により、救出階ＲＳＦの避難者１１を第１の中間避難階ＩＲＦＦ１に避難させ、この後、第１の中間避難階ＩＲＦＦ１の避難者を、例えば非常階段１０により、第２の中間避難階ＩＲＦＦ２に誘導し、第２のオペレーションｏｐ２により、第２の中間避難階ＩＲＦＦ２の避難者１１を避難階ＲＦＦに避難させている。このため、第１、第２の中間避難階ＩＲＦＦ１、ＩＲＦＦ２の個々の面積が少なく、救助階ＲＳＦの避難者１１を１つの中間避難階に待機させることができない場合においても、複数の中間避難階を用いて、多くの避難者を迅速に救出階ＲＳＦから避難階ＲＦＦに避難させることができる。
【００７３】
また、第１、第２の中間避難階ＩＲＦＦ１、ＩＲＦＦ２において、エレベータ装置の乗り継ぎ経路を報知することにより、避難者１１を確実に第１の中間避難階ＩＲＦＦ１から第２の中間避難階ＩＲＦＦ２に誘導することが可能である。
【００７４】
（第６の実施形態）
図１３、図１４は、第６の実施形態を示すものであり、第５の実施形態と同一部分には同一符号を付す。
【００７５】
上記第５の実施形態は、１台のエレベータ装置ＥＬ１により、救出階ＲＳＦと第１の中間避難階ＩＲＦＦ１との間の避難者の移送、及び第２の中間避難階ＩＲＦＦ２と避難階ＲＦＦとの間の避難者の移送を行った。
【００７６】
これに対して、第６の実施形態は、複数のエレベータ装置を用いて、救出階ＲＳＦと第１の中間避難階ＩＲＦＦ１との間の避難者の移送、及び第２の中間避難階ＩＲＦＦ２と避難階ＲＦＦとの間の避難者の移送を行う。
【００７７】
図１３、図１４において、制御装置１は、火災検出器６の検出信号を受けると（Ｓ６１）、滞在者検出器７により検出された各階における避難者の人数の情報と、火災検出器６により検出された火災発生階の情報に基づき、火災発生階よりも下階において避難者が存在する階に救出階ＲＳＦを設定するとともに、避難階ＲＦＦ、及び救出階ＲＳＦと避難階ＲＦＦとの間に第１、第２の中間避難階ＩＲＦＦ１、ＩＲＦＦ２を設定する（Ｓ６２）。すなわち、制御装置１は、救出階ＲＳＦの避難者１１の人数が多く、これら避難者１１を１つの中間避難階に避難されることが困難であると判断した場合、複数の中間避難階を設定する。
【００７８】
上記避難階ＲＦＦ、救出階ＲＳＦ、及び第１、第２の中間避難階ＩＲＦＦ１、ＩＲＦＦ２の設定と同時に、制御装置１は、案内表示装置８や音声案内装置９により、建物内の避難者１１に救出階ＲＳＦの位置を報知する。
【００７９】
この後、制御装置１は、第１のオペレーションｏｐ１により、第１のエレベータ装置ＥＬ１、のかご３−１を救出階ＲＳＦと第１の中間避難階ＩＲＦＦ１の間を往復運転させ、救出階ＲＳＦから第１の中間避難階ＩＲＦＦ１へ避難者１１を移動させる（Ｓ５３）。
【００８０】
すなわち、第１のオペレーションｏｐ１において、制御装置１は、かご３−１を避難者１１が滞在する救出階ＲＳＦへ直行させ、避難者１１を乗車させる。この後、かご３−１を第１の中間避難階ＩＲＦＦ１へ運転し、かご３−１が第１の中間避難階ＩＲＦＦ１に着床、停止した際、例えば図示せぬかご内表示装置やかご内音声案内装置によって、避難者１１をかご３−１から降車させる案内を行う。さらに、制御装置１は、案内表示装置８、音声案内装置９により、避難者１１に第１の中間避難階ＩＲＦＦ１から非常階段１０を使って第２の中間避難階ＩＲＦＦ２に移動し、そこで待機することを報知する。すなわち、第１の中間避難階ＩＲＦＦ１から第２の中間避難階ＩＲＦＦ２へ移動し、例えば第２のエレベータ装置ＥＬ２へ乗り継ぐことを報知する（Ｓ６４）。
【００８１】
第１のオペレーションｏｐ１は、例えば、滞在者検出器７の検出信号や、荷重検出器１２−１の積載量の積算値に基づき、救出階ＲＳＦの避難者１１の避難が完了するまで繰り返される（Ｓ６５）。
【００８２】
救出階ＲＳＦから第１の中間避難階ＩＲＦＦ１への避難が完了した場合、制御装置１は、第２のオペレーションｏｐ２を実行し、第２のエレベータ装置ＥＬ２のかご３−２を第２の中間避難階ＩＲＦＦ２と避難階ＲＦＦとの間で往復運転させ、第２の中間避難階ＩＲＦＦ２から避難階ＲＦＦへ避難者１１を移動させる（Ｓ６６）。
【００８３】
すなわち、制御装置１は、乗り場に設置された案内表示装置８や音声案内装置９により、第１乃至第２の中間避難階ＩＲＦＦ１、ＩＲＦＦ２で待機する避難者１１にオペレーションの変更を報知し、第２の中間避難階ＩＲＦＦ２で待機する避難者１１を、第２のエレベータ装置ＥＬ２のかご３−２に乗車させ、かご３−２を第２の中間避難階ＩＲＦＦ２と避難階ＲＦＦとの間で必要に応じて往復運転させる。
【００８４】
第２のオペレーションｏｐ２は、例えば滞在者検出器７の検出信号や、荷重検出器１２−２の積載量の積算値に基づき、第１、第２の中間避難階ＩＲＦＦ１、ＩＲＦＦ２で待機する避難者１１がいなくなるまで繰り返される（Ｓ６７）。第１、第２の中間避難階ＩＲＦＦ１、ＩＲＦＦ２から避難階ＲＦＦへの避難が完了した場合、第２のオペレーションｏｐ２が終了される（Ｓ６８）。
【００８５】
第６の実施形態によれば、第５の実施形態と同様の効果を得ることが可能であり、第１、第２の中間避難階ＩＲＦＦ１、ＩＲＦＦ２のスペースが狭い場合においても、迅速に救出階ＲＳＦの避難者１１を避難階ＲＦＦに避難させることが可能である。
【００８６】
尚、第６の実施形態において、第２のオペレーションｏｐ２を第１のオペレーションｏｐ１と並行に行ってもよい。この場合、さらに、救出階ＲＳＦから避難階ＲＦＦまでの避難時間を短縮することが可能である。
【００８７】
（第７の実施形態）
図１５、図１６は、第７の実施形態を示すものであり、第６の実施形態と同一部分には同一符号を付す。
【００８８】
上記第６の実施形態は、第１のエレベータ装置ＥＬ１により第１のオペレーションｏｐ１を行い、救出階ＲＳＦの避難者１１を第１の中間避難階ＩＲＦＦ１に避難させ、第２のエレベータ装置ＥＬ２により第２のオペレーションｏｐ２を行い第２の中間避難階ＩＲＦＦ２の避難者１１を避難階ＲＦＦに避難させている。
【００８９】
これに対して、第７の実施形態は、第１、第２のエレベータ装置ＥＬ１、ＥＬ２により第１のオペレーションｏｐ１を行い、救出階ＲＳＦの避難者１１を第１の中間避難階ＩＲＦＦ１に避難させ、第１、第２のエレベータ装置ＥＬ１、ＥＬ２により第２のオペレーションｏｐ２を行い第２の中間避難階ＩＲＦＦ２の避難者１１を避難階ＲＦＦに避難させる。
【００９０】
図１５、図１６において、制御装置１は、火災検出器６の検出信号を受けると（Ｓ７１）、滞在者検出器７により検出された各階における避難者の人数の情報と、火災検出器６により検出された火災発生階の情報に基づき、火災発生階よりも下階において避難者が存在する階に救出階ＲＳＦを設定するとともに、避難階ＲＦＦ、及び救出階ＲＳＦと避難階ＲＦＦとの間に第１、第２の中間避難階ＩＲＦＦ１、ＩＲＦＦ２を設定する（Ｓ７２）。すなわち、制御装置１は、救出階ＲＳＦの避難者１１の人数が多く、これら避難者１１を１つの中間避難階に避難されることが困難であると判断した場合、複数の中間避難階を設定する。
【００９１】
上記避難階ＲＦＦ、救出階ＲＳＦ、及び第１、第２の中間避難階ＩＲＦＦ１、ＩＲＦＦ２の設定と同時に、制御装置１は、案内表示装置８や音声案内装置９により、建物内の避難者１１に救出階ＲＳＦの位置を報知する。
【００９２】
この後、制御装置１は、第１のオペレーションｏｐ１により、第１、第２のエレベータ装置ＥＬ１、ＥＬ２のかご３−１、３−２を救出階ＲＳＦと第１の中間避難階ＩＲＦＦ１の間を往復運転させ、救出階ＲＳＦから第１の中間避難階ＩＲＦＦ１へ避難者１１を移動させる（Ｓ７３）。
【００９３】
すなわち、第１のオペレーションｏｐ１において、制御装置１は、かご３−１、３−２を避難者１１が滞在する救出階ＲＳＦへ直行させ、避難者１１を乗車させる。この後、かご３−１、３−２を第１の中間避難階ＩＲＦＦ１へ運転し、かご３−１、３−２が第１の中間避難階ＩＲＦＦ１に着床、停止した際、例えば図示せぬかご内表示装置やかご内音声案内装置によって、避難者１１をかご３−１、３−２から降車させる案内を行う。さらに、制御装置１は、案内表示装置８、音声案内装置９により、避難者１１に第１の中間避難階ＩＲＦＦ１から非常階段１０を使って第２の中間避難階ＩＲＦＦ２に移動し、そこで待機することを報知する。すなわち、第１の中間避難階ＩＲＦＦ１から第２の中間避難階ＩＲＦＦ２へ移動し、そこで、例えば第１のエレベータ装置ＥＬ１、又は第２のエレベータ装置ＥＬ２へ乗り継ぐことを報知する（Ｓ７４）。
【００９４】
第１のオペレーションｏｐ１は、例えば、滞在者検出器７の検出信号や、荷重検出器１２−１、１２−２の積載量の積算値に基づき、救出階ＲＳＦの避難者１１の避難が完了するまで繰り返される（Ｓ７５）。
【００９５】
救出階ＲＳＦから第１の中間避難階ＩＲＦＦ１への避難が完了した場合、制御装置１は、第２のオペレーションｏｐ２を実行し、第１、第２のエレベータ装置ＥＬ１、ＥＬ２のかご３−１、３−２を第２の中間避難階ＩＲＦＦ２と避難階ＲＦＦとの間で往復運転させ、第２の中間避難階ＩＲＦＦ２から避難階ＲＦＦへ避難者１１を移動させる（Ｓ７６）。
【００９６】
すなわち、制御装置１は、乗り場に設置された案内表示装置８や音声案内装置９により、第１乃至第２の中間避難階ＩＲＦＦ１、ＩＲＦＦ２で待機する避難者１１にオペレーションの変更を報知し、第２の中間避難階ＩＲＦＦ２で待機する避難者１１を、第１、第２のエレベータ装置ＥＬ１、ＥＬ２のかご３−１、３−２に乗車させ、かご３−１、３−２を第２の中間避難階ＩＲＦＦ２と避難階ＲＦＦとの間で必要に応じて往復運転させる。
【００９７】
第２のオペレーションｏｐ２は、例えば滞在者検出器７の検出信号や、荷重検出器１２−１，１２−２の積載量の積算値に基づき、第１、第２の中間避難階ＩＲＦＦ１、ＩＲＦＦ２で待機する避難者１１がいなくなるまで繰り返される（Ｓ７７）。第１、第２の中間避難階ＩＲＦＦ１、ＩＲＦＦ２から避難階ＲＦＦへの避難が完了した場合、第２のオペレーションｏｐ２が終了される（Ｓ７８）。
【００９８】
第７の実施形態によれば、第６の実施形態と同様の効果を得ることが可能であり、第１、第２の中間避難階ＩＲＦＦ１、ＩＲＦＦ２のスペースが狭い場合においても、より一層迅速に救出階ＲＳＦの避難者１１を避難階ＲＦＦに避難させることが可能である。
【００９９】
（第８の実施形態）
図１７、図１８は、第８の実施形態を示すものであり、第４、第７の実施形態と同一部分には同一符号を付す。
【０１００】
第７の実施形態は、第１、第２のエレベータ装置ＥＬ１、ＥＬ２を用いて第１のオペレーションｏｐ１を実行し、この後、第１、第２のエレベータ装置ＥＬ１、ＥＬ２を用いて第２のオペレーションｏｐ２を実行した。
【０１０１】
これに対して、第８の実施形態は、第１、第２のエレベータ装置ＥＬ１、ＥＬ２を用いて第１のオペレーションｏｐ１を実行し、第１、第２の中間避難階ＩＲＦＦ１、ＩＲＦＦ２の避難者の人数が、救出階ＲＳＦに残った避難者の人数よりお送りなった場合、例えば第２のエレベータ装置ＥＬ２を用いて第２のオペレーションｏｐ２を実行する。
【０１０２】
図１７、図１８において、制御装置１は、火災検出器６の検出信号を受けると（Ｓ８１）、滞在者検出器７により検出された各階における避難者の人数の情報と、火災検出器６により検出された火災発生階の情報に基づき、火災発生階よりも下階において避難者が存在する階に救出階ＲＳＦを設定するとともに、避難階ＲＦＦ、及び救出階ＲＳＦと避難階ＲＦＦとの間に第１、第２の中間避難階ＩＲＦＦ１、ＩＲＦＦ２を設定する（Ｓ８２）。すなわち、制御装置１は、救出階ＲＳＦの避難者１１の人数が多く、これら避難者１１を１つの中間避難階に避難されることが困難であると判断した場合、複数の中間避難階を設定する。
【０１０３】
上記避難階ＲＦＦ、救出階ＲＳＦ、及び第１、第２の中間避難階ＩＲＦＦ１、ＩＲＦＦ２の設定と同時に、制御装置１は、案内表示装置８や音声案内装置９により、建物内の避難者１１に救出階ＲＳＦの位置を報知する。
【０１０４】
この後、制御装置１は、第１のオペレーションｏｐ１により、第１、第２のエレベータ装置ＥＬ１、ＥＬ２のかご３−１、３−２を救出階ＲＳＦと第１の中間避難階ＩＲＦＦ１の間を往復運転させ、救出階ＲＳＦから第１の中間避難階ＩＲＦＦ１へ避難者１１を移動させる（Ｓ８３）。
【０１０５】
すなわち、第１のオペレーションｏｐ１において、制御装置１は、かご３−１、３−２を避難者１１が滞在する救出階ＲＳＦへ直行させ、避難者１１を乗車させる。この後、かご３−１、３−２を第１の中間避難階ＩＲＦＦ１へ運転し、かご３−１、３−２が第１の中間避難階ＩＲＦＦ１に着床、停止した際、例えば図示せぬかご内表示装置やかご内音声案内装置によって、避難者１１をかご３−１、３−２から降車させる案内を行う。さらに、制御装置１は、案内表示装置８、音声案内装置９により、避難者１１に第１の中間避難階ＩＲＦＦ１から非常階段１０を使って第２の中間避難階ＩＲＦＦ２に移動し、そこで待機することを報知する。すなわち、第１の中間避難階ＩＲＦＦ１から第２の中間避難階ＩＲＦＦ２へ移動し、そこで、例えば第２のエレベータ装置ＥＬ２へ乗り継ぐことを報知する（Ｓ８４）。
【０１０６】
第１、第２のエレベータ装置ＥＬ１、ＥＬ２を用いた第１のオペレーションｏｐ１は、第１の中間避難階ＩＲＦＦ１で待機する避難者１１の人数が、救出階ＲＳＦに残った避難者１１の人数より多くなった場合、終了される。すなわち、制御装置１は、例えば救出階ＲＳＦ及び中間避難階ＩＲＦＦの滞在者検出器７の検出信号や、荷重検出器１２−１，１２−２の積載量の積算値に基づき、救出階ＲＳＦに残った避難者１１の人数ｎ１、及び中間避難階ＩＲＦＦで待機する避難者１１の人数ｎ２を算出する（Ｓ８５）。
【０１０７】
制御装置１は、この算出された中間避難階ＩＲＦＦで待機する避難者１１の人数ｎ２と、救出階ＲＳＦに残った避難者１１の人数ｎ１を比較し（Ｓ８６）、中間避難階ＩＲＦＦの人数ｎ２が救出階ＲＳＦの人数ｎ１より多くなった場合、例えば第１のエレベータ装置ＥＬ１を用いた第１のオペレーションｏｐ１を継続したまま、第２のエレベータ装置ＥＬ２により、第２のオペレーションｏｐ２を実行する（Ｓ８７）。
【０１０８】
すなわち、制御装置１は、案内表示装置８や音声案内装置９により、第１、第２のエレベータ装置ＥＬ１、ＥＬ２の一方、例えば第２のエレベータ装置ＥＬ２が、第２の中間避難階ＩＲＦＦ２から避難階ＲＦＦへの運行を開始することを、例えば第１、第２の中間避難階ＩＲＦＦ１、ＩＲＦＦ２の避難者１１に報知する。この後、制御装置１は、第２のエレベータ装置ＥＬ２のかご３−２に中間避難階ＩＲＦＦの避難者１１を乗車させ、避難階ＲＦＦへ運行させる。
【０１０９】
次いで、制御装置１は、滞在者検出器７の検出信号や、荷重検出器１２−１，１２−２の積載量の積算値に基づき、救出階ＲＳＦに避難者１１がいなくなったと判断した場合（Ｓ８８）、第１のエレベータ装置ＥＬ１による第１のオペレーションｏｐ１を終了する（Ｓ８９）。
【０１１０】
さらに、制御装置１は、滞在者検出器７の検出信号や、荷重検出器１２−１，１２−２の積載量の積算値に基づき、第１、第２の中間避難階ＩＲＦＦ１、ＩＲＦＦ２の避難者１１がいなくなったと判断した場合（Ｓ９０）、第２のエレベータ装置ＥＬ２による第２のオペレーションｏｐ２を終了する（Ｓ９１）。
【０１１１】
上記第８の実施形態によれば、第７の実施形態と同様の効果を得ることができる。しかも、第８の実施形態によれば、第１、第２の中間避難階ＩＲＦＦ１、ＩＲＦＦ２の避難者の人数が、救出階ＲＳＦの避難者の人数より多くなった場合、第１のオペレーションｏｐ１を継続した状態で、第２のオペレーションｏｐ２を開始している。このため、多くの避難者を迅速に避難階に避難させることが可能である。
【０１１２】
（第９の実施形態）
図２１、図２２は、第１０の実施形態を示すものであり、第１乃至第８の実施形態と同一部分には同一符号を付している。
【０１１３】
第１乃至第８の実施形態は、火災発生時に火災発生階と異なる救出階ＲＳＦを設定し、この救出階ＲＳＦは、変更しなかった。しかし、救出階ＲＳＦの避難者が多数の場合、第１のオペレーションｏｐ１により、救出階ＲＳＦと中間避難階ＩＲＦＦとの間をかご３−１が往復して避難者を中間避難階ＩＲＦＦに移送している間に、例えば非常階段１０を用いて下層階に移動する避難者が出ることが予想される。このような場合、救出階ＲＳＦに残っている避難者の人数よりも、救出階ＲＳＦと中間避難階ＩＲＦＦとの間にいる避難者の人数のほうが多くなる可能性がある。
【０１１４】
そこで、第９の実施形態は、図１９に示すように、第１のオペレーションｏｐ１を実行している間において、第１の救出階ＲＳＦ１に残っている避難者の人数よりも、第１の救出階ＲＳＦ１と中間避難階ＩＲＦＦとの間にいる避難者の人数のほうが多くなった場合、第１の救出階ＲＳＦ１以外に第２の救出階ＲＳＦ２を設定し、第３のオペレーションｏｐ３により、第２の救出階ＲＳＦ２の避難者を中間避難階ＩＲＦＦに移送する。
【０１１５】
図１９、図２０において、制御装置１は、火災検出器６の検出信号を受けると（Ｓ１０１）、滞在者検出器７により検出された各階における避難者の人数の情報と、火災検出器６により検出された火災発生階の情報に基づき、火災発生階よりも下階において避難者が存在する階に第１の救出階ＲＳＦ１を設定するとともに、避難階ＲＦＦ、及び第１の救出階ＲＳＦと避難階ＲＦＦとの間に中間避難階ＩＲＦＦを設定する（Ｓ１０２）。
【０１１６】
上記避難階ＲＦＦ、第１の救出階ＲＳＦ１、及び中間避難階ＩＲＦＦの設定と同時に、制御装置１は、案内表示装置８や音声案内装置９により、建物内の避難者１１に第１の救出階ＲＳＦ１の位置を報知する。
【０１１７】
この後、制御装置１は、第１のオペレーションｏｐ１により、第１のエレベータ装置ＥＬ１のかご３−１を第１の救出階ＲＳＦ１と中間避難階ＩＲＦＦの間を往復運転させ、第１の救出階ＲＳＦ１から中間避難階ＩＲＦＦへ避難者１１を移動させる（Ｓ１０３）。
【０１１８】
すなわち、第１のオペレーションｏｐ１において、制御装置１は、かご３−１を避難者１１が滞在する第１の救出階ＲＳＦ１へ直行させ、避難者１１を乗車させる。この後、かご３−１を中間避難階ＩＲＦＦへ運転し、かご３−１が中間避難階ＩＲＦＦに着床、停止した際、例えば図示せぬかご内表示装置やかご内音声案内装置によって、避難者１１をかご３−１から降車させる案内を行う。さらに、制御装置１は、案内表示装置８、音声案内装置９により、避難者１１に中間避難階ＩＲＦＦで待機することを報知する。
【０１１９】
第１のオペレーションｏｐ１の最中に、制御装置１は、滞在者検出器７により検出された各階における避難者の人数の情報と、荷重検出器１２−１の検出信号に基づき、第１の救出階ＲＳＦ１に滞在する避難者１１の人数ｎ１を算出する（Ｓ１０４）。さらに、制御装置１は、避難者１１の人数ｎ１をかご３−１の定員で除した値ｎ３を算出する（Ｓ１０５）。
【０１２０】
この値ｎ３と予め設定された設定値とが比較され（Ｓ１０６）、値ｎ３が設定値より多い場合、設定値に依存する回数だけ、かご３−１が第１の救出階ＲＳＦ１と中間避難階ＩＲＦＦとの間を往復運転され、回数経過後、かご３−１の運転が終了される（Ｓ１０７）。これとともに、案内表示装置８、音声案内装置９により、救出階が第１の救出階ＲＳＦ１から第２の救出階ＲＳＦ２に変更されたことが避難者１１に報知され、例えば第２のエレベータ装置ＥＬ２を用いて、第３のオペレーションｏｐ３が実行される（Ｓ１０８）。すなわち、第２のエレベータ装置ＥＬ２のかご３−２が第２の救出階ＲＳＦ２と中間避難階ＩＲＦＦとの間を往復運転され、第２の救出階ＲＳＦ２の避難者１１が中間避難階ＩＲＦＦに移送される。
【０１２１】
前記ステップ１０６において、値ｎ３が設定値より小さい場合、すなわち、第１の救出階ＲＳＦ１に滞在する避難者が少ない場合、及び、第３のオペレーションｏｐ３により、第１、第２の救出階ＲＳＦ１、ＲＳＦ２に滞在する避難者１１が完全に中間避難階ＩＲＦＦに避難されるまで、第１、第３のオペレーションｏｐ１，ｏｐ３が実行される（Ｓ１０９）。
【０１２２】
この後、第１、第２の救出階ＲＳＦ１、ＲＳＦ２から中間避難階ＩＲＦＦへの避難が完了すると、例えば第２のエレベータ装置ＥＬ２を用いて、第２のオペレーションｏｐ２が実行される（Ｓ１１０）。すなわち、かご３−２が中間避難階ＩＲＦＦと避難階ＲＦＦとの間を往復され、中間避難階ＩＲＦＦの避難者が避難階ＲＦＦへ移送される。
【０１２３】
中間避難階ＩＲＦＦから避難階ＲＦＦへ避難者の移送が完了すると（Ｓ１１１）、第２のオペレーションｏｐ２が終了される（Ｓ１１２）。
【０１２４】
上記第９の実施形態によれば、第１乃至第８の実施形態と同様の効果を得ることができる。
【０１２５】
しかも、第９の実施形態によれば、第１のオペレーションｏｐ１により第１の救出階ＲＳＦ１から中間避難階ＩＲＦＦへの避難が実行されている場合において、第１の救出階ＲＳＦ１から下層階に、避難者が例えば非常階段１０を利用して移動した場合、第１の救出階ＲＳＦ１の人数より、下層階に避難者の人数の方が多くなることがある。この場合、救出階を第１の救出階ＲＳＦ１から第２の救出階ＲＳＦ２に変更することにより、中間避難階ＩＲＦＦから第１の救出階ＲＳＦ１へかごを運行するより、中間避難階ＩＲＦＦから第２の救出階ＲＳＦ２へかごを運行するほうが、移動時間を短縮することができる。このため、避難者を迅速に第１、第２の救出階ＲＳＦ１、ＲＳＦ２から中間避難階ＩＲＦＦへ移送することができる。したがって、第１、第２の救出階ＲＳＦ１、ＲＳＦ２から避難階ＲＦＦへのトータルの避難時間を短縮することが可能である。
【０１２６】
（第１０の実施形態）
図２１、図２２は、第１０の実施形態を示している。
【０１２７】
上記第１乃至第９の実施形態は、火災発生場所が建物の最上階の場合について説明した。これに対して、第１０の実施形態は、火災発生場所が建物の下層階である場合を示している。
【０１２８】
図２１は、第１の実施形態の変形例を示すものであり、火災発生場所が建物の下層階である場合を示している。この場合、制御装置１は、火災検出器６の検出信号を受けると、滞在者検出器７により検出された各階における避難者の人数の情報と、火災検出器６により検出された火災発生階の情報に基づき、火災発生階よりも上階において避難者が存在する階に救出階ＲＳＦを設定する。これとともに、例えば最上階を避難階ＲＦＦに設定し、救出階ＲＳＦと避難階ＲＦＦとの間に中間避難階ＩＲＦＦを設定する。
【０１２９】
この後、制御装置１は、例えばエレベータ装置ＥＬ１を用いて、第１のオペレーションｏｐ１を実行する。すなわち、エレベータ装置ＥＬ１のかご３を救出階ＲＳＦと中間避難階ＩＲＦＦとの間を往復運転させ、救出階ＲＳＦの避難者１１を中間避難階ＩＲＦＦに移送し、待機させる。救出階ＲＳＦの避難者１１を全て中間避難階ＩＲＦＦに移送した後、制御装置１は、第２のオペレーションｏｐ２を実行し、中間避難階ＩＲＦＦに待機している避難者１１を避難階ＲＦＦとしての最上階に避難させる。
【０１３０】
図２２は、第５の実施形態の変形例を示すものであり、火災発生場所が建物の下層階である場合を示している。この場合、救出階ＲＳＦと避難階ＲＦＦとの間に、第１、第２の中間避難階ＩＲＦＦ１、ＩＲＦＦ２が設定され、第５の実施形態と同様にして、第１、第２のオペレーションｏｐ１、ｏｐ２が実行される。この結果、救出階ＲＳＦの避難者１１が第１、第２の中間避難階ＩＲＦＦ１、ＩＲＦＦ２に移送され、第１、第２の中間避難階ＩＲＦＦ、ＩＲＦＦ２に待機する避難者１１が避難階ＲＦＦとしての最上階に避難される。
【０１３１】
上記第１０の実施形態によれば、火災が建物の下層階で発生した場合においても、火災発生階と異なる階を救出階ＲＳＦに設定し、避難階ＲＦＦとしての最上階と救出階ＲＳＦとの間に少なくとも１つの中間避難階を設定し、第１、第２のオペレーションｏｐ１、ｏｐ２を実行することにより、多数の避難者を迅速に避難階に避難させることが可能である。
【０１３２】
尚、第１０の実施形態は、１台のエレベータ装置を使用して第１、第２のオペレーションｏｐ１、ｏｐ２を実行する場合について説明したが、これに限定されるものではなく、第２乃至第４の実施形態、第６乃至第９の実施形態を適用可能なことは、勿論である。
【０１３３】
また、上記各実施形態は１台、又は２台のエレベータ装置を用いた場合について説明した。しかし、エレベータ装置の台数は、２台に限定されるものではなく、３台以上のエレベータ装置がある場合、例えば第１、第２のエレベータ装置により第１のオペレーションｏｐ１を実行し、第３のエレベータ装置により第２のオペレーションｏｐ２を実行させてもよい。
【０１３４】
その他、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１３５】
１…制御装置、２…エレベータ動力装置、３、３−１、３−２…かご、６…火災検出器、７…滞在者検出器、８…案内表示器、９…音声案内器、１０…非常階段、１１…避難者、１２，１２−１，１２−２…荷重検出器、ＲＳＦ…救出階、ＲＳＦ１、ＲＳＦ２…第１、第２の救出階、ＩＲＦＦ…中間避難階、ＩＲＦＦ１、ＩＲＦＦ２…第１、第２の中間避難階、ＥＬ１、ＥＬ２…第１、第２のエレベータ装置、ｏｐ１、ｏｐ２、ｏｐ３…第１、第２、第３のオペレーション。
【図１】
0005637617.tif 000002
【図２】
0005637617.tif 000003
【図３】
0005637617.tif 000004
【図４】
0005637617.tif 000005
【図５】
0005637617.tif 000006
【図６】
0005637617.tif 000007
【図７】
0005637617.tif 000008
【図８】
0005637617.tif 000009
【図９】
0005637617.tif 000010
【図１０】
0005637617.tif 000011
【図１１】
0005637617.tif 000012
【図１２】
0005637617.tif 000013
【図１３】
0005637617.tif 000014
【図１４】
0005637617.tif 000015
【図１５】
0005637617.tif 000016
【図１６】
0005637617.tif 000017
【図１７】
0005637617.tif 000018
【図１８】
0005637617.tif 000019
【図１９】
0005637617.tif 000020
【図２０】
0005637617.tif 000021
【図２１】
0005637617.tif 000022
【図２２】
0005637617.tif 000023